(57)【要約】      （修正有） 【課題】ヘッド部が予期せず押し圧され、内用液が外部に噴出することを防ぐストッパー機構を具えたプッシュ型ポンプディスペンサを提供する。【解決手段】ポンプディスペンサ１０は、ヘッド部１と、ヘッド部１に軸支されるストッパー機構２とによってなる。ヘッド部１は、ヘッド部本体１１と、支軸１４を介してヘッド部本体１１に軸支する押し圧部１２と、ヘッド部本体１１と押し圧部１２との間に設けるノズル部１３とを具えてなる。押し圧部１２には、スライド溝１２１を形成する。スライド溝１２１の両端は、それぞれ第１スライド位置１２２と、及び第２スライド位置１２３とし、かつ第１スライド位置１２２には、下方へ縦方向に延伸する第１干渉部を形成する。ストッパー機構２は、第２干渉部２２を形成したスライド桿２１を具える。【選択図】図１
0003199176.tif 000002
【実用新案登録請求の範囲】
【請求項１】
ヘッド部と、該ヘッド部に軸支されるストッパー機構と、を有するプッシュ型ポンプディスペンサであって、
該ヘッド部は、ヘッド部本体と、一端を第１スライド位置とし他端を第２スライド位置とするスライド溝を有し、かつ該第１スライド位置に下方へ縦方向に延伸する第１干渉部を有するとともに、該ヘッド部本体に軸支する押し圧部と、該本体と該押し圧部との間に設けるノズル部と、を有し、
該ストッパー機構は、一端に該本体に軸支する軸支部を有し、他端が自由端であって該スライド溝を通過して該スライド溝の外部に突起し、かつ外部からの力を受けて該スライド溝の該第１スライド位置と該第２スライド位置との間を往復するように設けたスライド桿を有してなり、
該スライド桿は、該スライド桿の一端が該第１スライド位置に移動すると該第１干渉部に当接し、該押し圧部が下方に押し圧される動作に干渉して阻止する第２干渉部を有することを特徴とするストッパー機構を具えたプッシュ型ポンプディスペンサ。
【請求項２】
前記スライド溝の該第１スライド位置と該第２スライド位置との間に、幅が該スライド桿の直径に比して狭いネック部を有することを特徴とする請求項１に記載のストッパー機構を具えたプッシュ型ポンプディスペンサ。
【請求項３】
前記ヘッド部本体は、液体を収納する容器に取付けるための連結部を有することを特徴とする請求項１に記載のストッパー機構を具えたプッシュ型ポンプディスペンサ。
【請求項４】
前記スライド桿の自由端には、該スライド桿の操作に供する操作部を有することを特徴とする請求項１に記載のストッパー機構を具えたプッシュ型ポンプディスペンサ。
【請求項５】
前記ヘッド部本体は、手で握る場合の支えとなる把持部を有することを特徴とする請求項１に記載のストッパー機構を具えたプッシュ型ポンプディスペンサ。
【請求項６】
前記押し圧部は、手で握って力をかけるためのレバー部を有することを特徴とする請求項１に記載のストッパー機構を具えたプッシュ型ポンプディスペンサ。
【考案の詳細な説明】
【技術分野】
【０００１】
この考案は、液体を収納した容器に取付け、該容器の内容液を吹き付ける装置であるポンプディスペンサに関し、特にヘッド部が予期せず押し圧されること防ぐストッパー機構を具えたプッシュ型ポンプディスペンサに関する。
【背景技術】
【０００２】
例えば、乳液、ローション、もしくはボディソープなどの身体洗浄剤などの液体を収納した瓶、缶は、日常生活において多用され、その種類も多い。これら容器の多くはプッシュ型のポンプディスペンを着脱自在に設け、容器に収納した液体などの吐出、取出しに供する。
【０００３】
しかしながら、従来のプッシュ型ポンプディスペンサは、ヘッド部が予期せず押し圧されること防ぐための何らストッパー構造も設けられていない。特に、ポンプディスペンサを取り付けた容器を運送する過程においては、他の物体とぶつかり、予期せずヘッド部が押し圧される状況が容易に発生する。また、ポンプディスペンサを取り付けた容器を携帯した場合でも、他の物品による押し圧を受けて、予期せずヘッド部が押されることが極めて容易に発生し、容器の内容液が外部に噴出する。よって、従来のプッシュ型ポンプディスペンサは実用性において不十分であり、改良の必要がある。係る問題は業界において改善が求められている。
【考案の概要】
【考案が解決しようとする課題】
【０００４】
この考案は、液体を収納した容器に取付けるポンプディスペンサであって、ヘッド部が予期せず押し圧され、内用液が外部に噴出することを防ぐストッパー機構を具えたプッシュ型ポンプディスペンサを提供することを課題とする。
【課題を解決するための手段】
【０００５】
そこで、本考案者は従来のプッシュ型ポンプディスペンサに見られる欠点に鑑みて鋭意研究を重ねた結果、ヘッド部と、該ヘッド部に軸支されるストッパー機構と、によってなり、該ヘッド部が、ヘッド部本体と、一端を第１スライド位置とし他端を第２スライド位置とするスライド溝を形成し、かつ該第１スライド位置に下方へ縦方向に延伸する第１干渉部を形成してなるとともに該ヘッド部本体に軸支する押し圧部と、該本体と該押し圧部との間に設けるノズル部とを具え、該ストッパー機構が、一端に該本体に軸支する軸支部を具え、他端が自由端であって該スライド溝を通過して該スライド溝の外部に突起し、かつ外部からの力を受けて該スライド溝の該第１スライド位置と該第２スライド位置との間を往復するように設けたスライド桿を具えてなり、該スライド桿に、該第１干渉部に当接し、該押し圧部が下方に押し圧される動作に干渉して阻止する第２干渉部を形成してなるストッパー機構を具えたプッシュ型ポンプディスペンサによって課題を解決できる点に着眼し、係る知見に基づいて本考案を完成させた。以下、この考案について説明する。
【０００６】
請求項１に記載するストッパー機構を具えたプッシュ型ポンプディスペンサは、ヘッド部と、該ヘッド部に軸支されるストッパー機構と、によってなるプッシュ型ポンプディスペンサであって、
該ヘッド部が、ヘッド部本体と、一端を第１スライド位置とし他端を第２スライド位置とするスライド溝を形成し、かつ該第１スライド位置に下方へ縦方向に延伸する第１干渉部を形成してなるとともに該ヘッド部本体に軸支する押し圧部と、該本体と該押し圧部との間に設けるノズル部とを具え、
該ストッパー機構が、一端に該本体に軸支する軸支部を具え、他端が自由端であって該スライド溝を通過して該スライド溝の外部に突起し、かつ外部からの力を受けて該スライド溝の該第１スライド位置と該第２スライド位置との間を往復するように設けたスライド桿を具えてなり、
該スライド桿に、該スライド桿の一端が該第１スライド位置に移動すると該第１干渉部に当接し、該押し圧部が下方に押し圧される動作に干渉して阻止する第２干渉部を形成してなる。
【０００７】
請求項２に記載するストッパー機構を具えたプッシュ型ポンプディスペンサは、請求項１におけるスライド溝の該第１スライド位置と該第２スライド位置との間に、幅が該スライド桿の直径に比して狭いネック部を形成する。
【０００８】
請求項３に記載するストッパー機構を具えたプッシュ型ポンプディスペンサは、請求項１におけるヘッド部本体に、液体を収納する容器に取付けるための連結部を形成する。
【０００９】
請求項４に記載するストッパー機構を具えたプッシュ型ポンプディスペンサは、請求項１におけるスライド桿の自由端に該スライド桿の操作に供する操作部を形成する。
【００１０】
請求項５に記載するストッパー機構を具えたプッシュ型ポンプディスペンサは、請求項１におけるヘッド部本体が、手で握る場合の支えとなる把持部を具える。
【００１１】
請求項６に記載するストッパー機構を具えたプッシュ型ポンプディスペンサは、請求項１における押し圧部が、手で握って力をかけるためのレバー部を具える。
【図面の簡単な説明】
【００１２】
【図１】この考案によるプッシュ型ポンプディスペンサの分解図である。
【図２】図１に開示するプッシュ型ポンプディスペンサの平面図である。
【図２Ａ】図２の平面図の局部拡大図である。
【図３】この考案におけるストッパー機構が作用した状態を示した説明図である。
【図３Ａ】この考案におけるストッパー機構が作用した状態を示した局部拡大説明図である。
【図４】この考案におけるストッパー機構の作用が解除された状態を示した説明図である。
【図４Ａ】この考案におけるストッパー機構の作用が解除された状態を示した局部拡大説明図である。
【図５】この考案によるプッシュ型ポンプディスペンサの動作を示した説明図である。
【考案を実施するための形態】
【００１３】
この考案は、液体を収納した容器に取付けるポンプディスペンサであって、ヘッド部が予期せず押し圧され、内用液が外部に噴出することを防ぐストッパー機構を具えたプッシュ型ポンプディスペンサを提供するものであって、ヘッド部と、該ヘッド部に軸支されるストッパー機構と、によってなり、該ヘッド部が、ヘッド部本体と、一端を第１スライド位置とし他端を第２スライド位置とするスライド溝を形成し、かつ該第１スライド位置に下方へ縦方向に延伸する第１干渉部を形成してなるとともに該ヘッド部本体に軸支する押し圧部と、該本体と該押し圧部との間に設けるノズル部とを具え、該ストッパー機構が、一端に該本体に軸支する軸支部を具え、他端が自由端であって該スライド溝を通過して該スライド溝の外部に突起し、かつ外部からの力を受けて該スライド溝の該第１スライド位置と該第２スライド位置との間を往復するように設けたスライド桿を具えてなり、該スライド桿に、該第１干渉部に当接し、該押し圧部が下方に押し圧される動作に干渉して阻止する第２干渉部を形成する。係るストッパー機構を具えたプッシュ型ポンプディスペンサの特徴を説明するために、具体的な実施例を挙げ、図面を参照にして以下に詳述する。
【実施例】
【００１４】
図１に開示するように、この考案によるポンプディスペンサ１０は、ヘッド部１と、ヘッド部１に軸支されるストッパー機構２とによってなる。
【００１５】
図１から図３に開示するように、ヘッド部１は、ヘッド部本体１１と、支軸１４を介してヘッド部本体１１に軸支する押し圧部１２と、ヘッド部本体１１と押し圧部１２との間に設けるノズル部１３とを具えてなる。
【００１６】
押し圧部１２には、スライド溝１２１を形成する。スライド溝１２１の両端は、それぞれ第１スライド位置１２２と、及び第２スライド位置１２３とし、かつ第１スライド位置１２２には、下方へ縦方向に延伸する第１干渉部１２４を形成する。
【００１７】
実施例において、ヘッド部本体１１には例えばねじ山を螺刻してなる連結部１１１を形成して、液体を収納する容器３に取付ける。また、ヘッド部本体１１は、手で握る場合の支えとなる把持部１１２を具え、押し圧部１２は手で握り、力をかけるためのレバー部１２５を具える。
【００１８】
ストッパー機構２は、第２干渉部２２を形成したスライド桿２１を具える。スライド桿２１は一端に軸支部２１２を具え、軸支部２１２によってヘッド部本体１１に軸支するとともに、他端は自由端であって、スライド溝１２１を通過してスライド溝１２１の外部に突起し、外部からの力を受けてスライド溝１２１の第１スライド位置１２２と第２スライド位置１２３との間を往復する。
【００１９】
実施例において、スライド桿２１の自由端には指によるスライド桿２１の操作に供する操作部２１１を形成する。
【００２０】
第２干渉部２２はスライド桿２１の桿体から凸出して形成する。よって、スライド桿２１の一端を第１スライド位置１２２に移動させると、第１干渉部１２４と第２干渉部２２とが当接して互いに干渉し、押し圧部１２の動作を阻止することで、押し圧部１２を下方に押し圧することができなくなり、予期せず押し圧部１２が押し圧されることを防ぐ。
【００２１】
ここで注目すべきは、実施例において、スライド溝１２１の第１スライド位置１２２と、第２スライド位置１２３との間に、幅がスライド桿２１の直径に比して狭いネック部１２６を形成することである。ネック部１２６は幅がスライド桿２１の直径に比して狭いため、スライド桿２１の移動に干渉する。このため、スライド桿２１が自在に移動することがなく、スライド桿２１の一端の位置を切換える場合は、力を加えてはじめて移動させることができる。また、スライド桿２１の下端はヘッド部本体１１に軸支する、よってスライド桿２１が外れて脱落することがない。このため、部材を遺失するリスクを減少させることができる。
【００２２】
図３、及び図１、２に開示するように、スライド桿２１の自由端を第１スライド位置１２２に移動させると、スライド桿２１の桿体から凸出して形成される第２干渉部２２が第１干渉部１２４に当接して互いに干渉した状態となる。この場合、図３Ａに開示するように押し圧部１２に力を加えて下方に押し圧しても、第１干渉部１２４と第２干渉部２２とが当接して互いに干渉した状態にあるため、押し圧部１２は下方に移動させることができない。よって予期せず押し圧部１２が押し圧されることを防ぐ。
【００２３】
図４に開示するように、スライド桿２１の自由端に力を加えて第２スライド位置１２３に移動させると、図４Ａに開示するように第１干渉部１２４と第２干渉部２２とは当接することなく、干渉した状態が解除される。したがって、図５に開示するように押し圧部１２を下方に押し圧し、支軸１４の軸支によって回転運動をさせることできる。
【符号の説明】
【００２４】
１         ヘッド部
１０       ポンプディスペンサ
１１       ヘッド部本体
１１１     連結部
１１２     把持部
１２       押し圧部
１２１     スライド溝
１２２     第１スライド位置
１２３     第２スライド位置
１２４     第１干渉部
１２５     レバー部
１２６     ネック部
１３      ノズル部
１４      支軸
２         ストッパー機構
２１       スライド桿
２１１     操作部
２１２     軸支部
２２       第２干渉部
３        容器
【図１】
0003199176.tif 000003
【図２】
0003199176.tif 000004
【図２Ａ】
0003199176.tif 000005
【図３】
0003199176.tif 000006
【図３Ａ】
0003199176.tif 000007
【図４】
0003199176.tif 000008
【図４Ａ】
0003199176.tif 000009
【図５】
0003199176.tif 000010